【手続補正書】
【提出日】平成26年2月4日(2014.2.4)
【手続補正１】
【補正対象書類名】特許請求の範囲
【補正対象項目名】全文
【補正方法】変更
【補正の内容】
【特許請求の範囲】
【請求項１】
通貨単位が互いに異なる複数種類の通貨が投入された場合に、投入された通貨である投入通貨を認識する認識部と、
前記認識部による認識結果に基づいて、ユーザとの取引を制御する制御部と、を備えることを特徴とする、自動取引装置。
【請求項２】
前記認識部は、前記投入通貨が偽通貨であるかを認識し、
前記制御部は、前記投入通貨が偽通貨であると認識された場合には、前記偽通貨の通貨単位に基づいて、前記偽通貨に対する処理を決定することを特徴とする、請求項１記載の自動取引装置。
【請求項３】
前記制御部は、前記通貨単位に基づいて、前記偽通貨に対する処理を、前記ユーザへの前記偽通貨の返却及び前記偽通貨が格納される偽通貨格納部への前記偽通貨の取り込みのいずれかに決定する制御を行うことを特徴とする、請求項２記載の自動取引装置。
【請求項４】
前記制御部は、前記偽通貨の通貨単位がユーロである場合、前記偽通貨に対する処理を、前記偽通貨が格納される偽通貨格納部への前記偽通貨の取り込みに決定することを特徴とする、請求項３記載の自動取引装置。
【請求項５】
前記偽通貨の通貨単位と、前記偽通貨に対する処理の内容とを関連付けて記録する偽通貨処理内容記録テーブルを記憶する記憶部を備えることを特徴とする、請求項２〜４のいずれか１項に記載の自動取引装置。
【請求項６】
前記制御部は、前記記憶部が記憶する前記偽通貨処理内容記録テーブルに基づいて、前記偽通貨に対する処理を決定することを特徴とする、請求項５記載の自動取引装置。
【請求項７】
前記認識部が、投入通貨が偽通貨であると認識した場合には、前記制御部は、ユーザへの偽通貨の返却または偽通貨が格納される偽通貨格納部への偽通貨の取り込みをユーザに選択させる制御を行う、請求項２に記載の自動取引装置。
【請求項８】
前記制御部は、前記投入通貨を前記投入通貨と異なる通貨単位の通貨である両替先通貨に両替する制御を行い、前記両替先通貨の少なくとも一部を硬貨で前記ユーザに支払う必要が生じた場合には、前記硬貨で支払われる金額に関する情報が記録された記録媒体を前記ユーザに提供する制御を行うことを特徴とする、請求項１〜７のいずれか１項に記載の自動取引装置。
【請求項９】
前記制御部は、前記両替先通貨による支払が可能な上限額である支払上限額と、前記両替先通貨に対する前記投入通貨のレートとに基づいて、前記投入通貨の上限額である投入上限額を算出し、前記投入通貨の金額が前記投入上限額を超えた場合には、前記投入通貨のうち、少なくとも前記投入上限額を超える分の両替をキャンセルする制御を行う、請求項８記載の自動取引装置。
【請求項１０】
前記制御部は、前記投入上限額を提示する制御を行うことを特徴とする、請求項９記載の自動取引装置。
【請求項１１】
使用可能な地域が互いに異なる複数種類の通貨が投入された場合に、投入された通貨である投入通貨を認識するステップと、
前記認識の結果に基づいて、ユーザとの取引を制御するステップと、を含むことを特徴とする、自動取引方法。
【請求項１２】
コンピュータに、
使用可能な地域が互いに異なる複数種類の通貨が投入された場合に、投入された通貨である投入通貨を認識する認識機能と、
前記認識機能による認識結果に基づいて、ユーザとの取引を制御する制御機能と、を実現させることを特徴とする、プログラム。
【手続補正２】
【補正対象書類名】明細書
【補正対象項目名】０００８
【補正方法】変更
【補正の内容】
【０００８】
また、制御部は、偽通貨の通貨単位がユーロである場合、偽通貨に対する処理を、偽通貨が格納される偽通貨格納部への偽通貨の取り込みに決定するようにしてもよい。
【手続補正３】
【補正対象書類名】明細書
【補正対象項目名】００２８
【補正方法】変更
【補正の内容】
【００２８】
記憶部２０は、自動取引装置１０が行う処理に必要な各種情報、例えば、各種の画像をレート提示部１２や取引情報提示部１７に表示させるための画像情報、各種の提示情報及び音声をレート提示部１２や取引情報提示部１７に出力させるための文字情報、通貨単位毎のレート情報、及び制御部２１によって実行されるプログラム等を記憶する。さらに、記憶部２０は、偽通貨の通貨単位と、偽通貨に対する処理の内容とを関連付けて記録する偽通貨処理内容記録テーブルを記憶する。この偽通貨処理内容記録テーブルは、例えば、「ユーロ」に対しては、「取り込み」が記録され、他の通貨単位に対しては、「返却」が記録される。勿論、テーブルの記録内容はこの内容に限定されない。
【手続補正４】
【補正対象書類名】明細書
【補正対象項目名】００３１
【補正方法】変更
【補正の内容】
【００３１】
カード処理部２３は、カード入出口１４の開閉を制御する他、カード入出口１４に投入されたカードから各種の情報を読み取り、読み取った内容に関する情報を制御部２１に出力する。また、カード処理部２３は、カード入出口１４に投入されたカードに各種の情報を記録する。また、カード処理部２３は、カードをカード入出口１４から排出する。また、カード処理部２３は、プリペイドカードを格納するプリペイドカード格納部を有しており、制御部２１からの要求に応じて、プリペイドカードに各種の情報を記録し、ユーザに提供する。なお、このようなプリペイドカードは、ユーザが保有するものであってもよい。即ち、制御部２１は、プリペイドカードに各種の情報を記録する必要が生じた場合、プリペイドカードの挿入をユーザに促してもよい。
【手続補正５】
【補正対象書類名】明細書
【補正対象項目名】００５０
【補正方法】変更
【補正の内容】
【００５０】
ステップＳ９０において、制御部２１は、図１１に示す出金金額選択用画像を取引情報提示部１７に表示させる。出金金額選択用画像は、出金金額表示エリアＰ３と、出金紙幣選択ボタンＰ４と、確定ボタン（確認ボタン）Ｐ１１と、キャンセルボタンＰ１００とを含む。出金金額表示エリアＰ３には、出金紙幣（即ち、出金される紙幣）と出金枚数（即ち、出金される枚数）とが関連付けられて表示される。この例では、出金紙幣が２００ブラジルレアル、１００００日本円、１００米ドル、及び１００ユーロとなり、それぞれの出金枚数は「ｎ１」〜「ｎ４」（ｎ１〜ｎ４は０以上の整数）で表される。出金紙幣選択ボタンＰ４には、出金紙幣の種類を示す文字が描かれている。なお、図１１に示す出金金額選択用画像は、出金紙幣選択ボタンＰ４として、「２００ブラジルレアル」、「１００米ドル」、「１００００日本円」、「１００ユーロ」のいずれかに対応する出金紙幣選択ボタンＰ４を含むが、これら以外の出金紙幣に対応する出金紙幣選択ボタンＰ４を含んでも良いことはもちろんである。
【手続補正６】
【補正対象書類名】明細書
【補正対象項目名】００５５
【補正方法】変更
【補正の内容】
【００５５】
制御部２１は、出金紙幣及び出金枚数に関する出金情報を格納処理部２８に出力する。格納処理部２８は、出金紙幣を出金枚数だけ紙幣格納部２９から取り出し、紙幣搬送経路に載せる。紙幣入出金部２４は、紙幣搬送経路上の紙幣を紙幣入出口１５まで搬送し、紙幣入出口１５から排出（出金）する。また、制御部２１は、出金紙幣、出金枚数、及び口座出金金額に関する情報を含むレシート発行指示情報を帳票類処理部２２に出力する。帳票類処理部２２は、出金紙幣、出金枚数、及び口座出金金額等が記載されたレシートを発行し、ユーザに提供する。ステップＳ１１１において、制御部２１は、カード処理部２３にカード返却指示情報を出力し、カード処理部２３は、カード返却指示情報に基づいて、キャッシュカードをユーザに返却する。その後、制御部２１は、出金処理を終了する。
【手続補正７】
【補正対象書類名】明細書
【補正対象項目名】００６０
【補正方法】変更
【補正の内容】
【００６０】
制御部２１は、ユーザ出金金額に関する出金情報を格納処理部２８に出力する。格納処理部２８は、選択通貨単位に対応する紙幣をユーザ出金金額分だけ紙幣格納部２９から取り出し、紙幣搬送経路に載せる。紙幣入出金部２４は、紙幣搬送経路上の紙幣を紙幣入出口１５まで搬送し、紙幣入出口１５から排出（出金）する。また、制御部２１は、ユーザ出金金額及び口座出金金額に関する情報を含むレシート発行指示情報を帳票類処理部２２に出力する。帳票類処理部２２は、ユーザ出金金額及び口座出金金額等が記載されたレシートを発行し、ユーザに提供する。ステップＳ１１１において、制御部２１は、カード処理部２３にカード返却指示情報を出力し、カード処理部２３は、カード返却指示情報に基づいて、キャッシュカードをユーザに返却する。その後、制御部２１は、出金処理を終了する。
【手続補正８】
【補正対象書類名】明細書
【補正対象項目名】００６９
【補正方法】変更
【補正の内容】
【００６９】
なお、制御部２１は、偽通貨に対する処理をユーザに選択させてもよい。この場合、ステップＳ１５０において、制御部２１は、図１３に示す偽通貨処理選択画像を表示する。偽通貨処理選択画像は、偽通貨が存在することを報知する文字画像Ｐ１７と、取り込み選択ボタンＰ８と、返却選択ボタンＰ９とを含む。取り込み選択ボタンＰ８は、偽通貨に対する処理として「取り込み」を選択するためのボタンであり、返却選択ボタンＰ９は、偽通貨に対する処理として「返却」を選択するためのボタンである。ユーザは、この画像を視認することで、投入通貨の中に偽通貨があったことを認識する。そして、ユーザは、取り込み選択ボタンＰ８及び返却選択ボタンＰ９のうち、所望の処理に対応するボタンにタッチする。入力部１８は、入力操作に応じた操作情報を制御部２１に出力する。
【手続補正９】
【補正対象書類名】明細書
【補正対象項目名】００８３
【補正方法】変更
【補正の内容】
【００８３】
両替先通貨単位選択ボタンＰ１５には、両替先通貨単位候補の種類を示す文字が描かれている。両替先通貨単位選択ボタンＰ１５は、ユーザが両替先通貨単位候補のなかから、両替先通貨単位を選択するために使用される。図１５に示す両替通貨選択用画像は、両替先通貨単位候補として、「ブラジルレアル」、「米ドル」、「日本円」、「ユーロ」を列挙している。
【手続補正１０】
【補正対象書類名】明細書
【補正対象項目名】０１１３
【補正方法】変更
【補正の内容】
【０１１３】
次いで、ステップＳ５５０で、制御部２１は、図２０に示す振込通貨指定用画像を取引情報提示部１７に表示させる。振込通貨指定用画像は、振込通貨単位選択ボタンＰ２１と、振込金額表示エリアＰ２２と、確定ボタンＰ１１と、キャンセルボタンＰ１００と、図示しないテンキーとを含む。振込通貨単位選択ボタンＰ２１には、振込通貨単位の種類を示す文字が描かれている。なお、図２０に示す振込通貨指定用画像は、振込通貨単位選択ボタンＰ２１として、「ブラジルレアル」、「米ドル」、「日本円」、「ユーロ」のいずれかに対応する振込通貨単位選択ボタンＰ２１を含むが、これら以外の通貨単位に対応する振込通貨単位選択ボタンＰ２１を含んでも良いことはもちろんである。振込金額表示エリアＰ２２には、ユーザが指定した口座に振り込まれる金額、即ち振込金額が表示される。